(57)【要約】      （修正有）【課題】太陽光の有害な紫外線の透過を抑制させながら、太陽を肉眼で拡大して観察することを可能とする双眼鏡を提供する。【解決手段】右側鏡胴と、左側鏡胴と、右側鏡胴及び左側鏡胴内部に配設された対物レンズ２１と接眼レンズ２２とを有する双眼鏡２０であって、右側鏡胴及び左側鏡胴内部には、対物レンズ２１と接眼レンズ２２との間、対物レンズ２１よりも光軸方向前面側Ａ、又は、接眼レンズ２２よりも光軸方向背面側Ｂに配設された遮光フィルタ２３を備えることを特徴とする。【選択図】図３
0003173294.tif 000002
【実用新案登録請求の範囲】
【請求項１】
２つの鏡胴と、前記鏡胴の内部に配設された対物レンズと接眼レンズとを有する双眼鏡において、
前記鏡胴は、前記対物レンズと前記接眼レンズとの間に配設された遮光フィルタを有すること
を特徴とする双眼鏡。
【請求項２】
２つの鏡胴と、前記鏡胴の内部に配設された対物レンズと接眼レンズとを有する双眼鏡において、
前記鏡胴は、前記対物レンズよりも光軸方向前方に配設された遮光フィルタを有すること
を特徴とする双眼鏡。
【請求項３】
２つの鏡胴と、前記鏡胴の内部に配設された対物レンズと接眼レンズとを有する双眼鏡において、
前記鏡胴は、前記接眼レンズよりも光軸方向後方に配設された遮光フィルタを有すること
を特徴とする双眼鏡。
【請求項４】
前記対物レンズは、凸レンズであるとともに、前記接眼レンズは、凹レンズであること
を特徴とする請求項１〜３の何れか１項記載の双眼鏡。
【請求項５】
前記遮光フィルタは、波長が３６５ｎｍの紫外線に対する透過率が最大０．００００７６％となる遮光性能を有すること
を特徴とする請求項１〜４の何れか１項記載の双眼鏡。
【考案の詳細な説明】
【技術分野】
【０００１】
本考案は、太陽を観察するための遮光手段を備えた双眼鏡に関するものである。
【背景技術】
【０００２】
従来より、太陽光には有害な紫外線が含まれているため、太陽を肉眼で観察する観察者は、網膜の火傷を防止するために、遮光フィルタを用いて有害な紫外線を減光して、太陽を観察している。特に、子供の学習のために日食等を観察する場合は、遮光フィルタを手に持ち、その遮光フィルタを太陽にかざして観察するという方法が提案されている。
【０００３】
太陽を観察する遮光フィルタは、ＪＩＳ規格Ｔ−８１４１のしゃ光度番号第１３番に規定される性能を有する遮光フィルタを用いることが適当であるとされている。ここに規定される性能は、具体的には、波長が３６５ｎｍの紫外線透過率が最大で０．００００７６％となるものである。ＪＩＳ規格Ｔ−８１４１のしゃ光度番号第１３番に規定する性能を上回る紫外線透過率を有する遮光フィルタを用いた場合は、遮光性能が十分でないため網膜に火傷を負う危険性がある。また、しゃ光度番号第１３番に規定される性能を上回る遮光率を有する遮光フィルタを用いた場合は、可視線透過率が低すぎるため、肉眼による太陽観察が困難となる。
【考案の概要】
【考案が解決しようとする課題】
【０００４】
ところで、従来における太陽を観察する方法において、観察者は、遮光フィルタのみを介して太陽を観察するため、太陽を拡大して観察することができず、特に、子供の学習を目的とした日食等の観察において不便が生じていた。
【０００５】
他方で、太陽を拡大して観察するためにレンズを用いると、観察者は、太陽光が網膜に集光されることによって網膜に火傷を負う危険性が非常に高く、失明の危険すらある。
【０００６】
そこで、本考案は、上述した問題点に鑑みて案出されたものであり、その目的とするところは、観察者の網膜に火傷等を負わせることなく、太陽を拡大して観察することを可能とする双眼鏡を提供することにある。
【課題を解決するための手段】
【０００７】
本考案者は、上述した課題を解決するために、鋭意検討の結果、下記の双眼鏡を考案した。
【０００８】
第１考案に係る双眼鏡は、２つの鏡胴と、前記鏡胴の内部に配設された対物レンズと接眼レンズとを有する双眼鏡において、前記鏡胴は、前記対物レンズと前記接眼レンズとの間に配設された遮光フィルタを有することを特徴とする。
【０００９】
第２考案に係る双眼鏡は、２つの鏡胴と、前記鏡胴の内部に配設された対物レンズと接眼レンズとを有する双眼鏡において、前記鏡胴は、前記対物レンズよりも光軸方向前方に配設された遮光フィルタを有することを特徴とする
【００１０】
第３考案に係る双眼鏡は、２つの鏡胴と、前記鏡胴の内部に配設された対物レンズと接眼レンズとを有する双眼鏡において、前記鏡胴は、前記接眼レンズよりも光軸方向後方に配設された遮光フィルタを有することを特徴とする
【００１１】
第４考案に係る双眼鏡は、第１考案〜第３考案の何れかにおいて、前記対物レンズは、凸レンズであるとともに、前記接眼レンズは、凹レンズであることを特徴とする。
【００１２】
第５考案に係る双眼鏡は、第１考案〜第４考案の何れかにおいて、前記遮光フィルタは、波長が３６５ｎｍの紫外線に対する透過率が最大０．００００７６％となる遮光性能を有することを特徴とする。
【考案の効果】
【００１３】
第１考案〜第５考案に係る双眼鏡によれば、観察者は、対物レンズと接眼レンズと遮光フィルタとを介して太陽を観察することによって、太陽光の有害な紫外線の透過を抑制させながら、太陽を肉眼で拡大して観察することが可能となる。
【００１４】
第４考案に係る双眼鏡は、いわゆるガリレオ式の双眼鏡であり、第４考案に係る双眼鏡によれば、対物レンズは凸レンズであるとともに接眼レンズは凹レンズであることから、遮光フィルタに対する著しい集光を回避することができ、遮光フィルタの融解を回避することが可能となる。
【図面の簡単な説明】
【００１５】
【図１】本考案に係る双眼鏡を用いて太陽を観察する観察者を示す概略図である。
【図２】本考案に係る双眼鏡の上方からの外観を示す平面図である。
【図３】本考案に係る双眼鏡の内部構造を示す断面図である。
【図４】本考案に係る双眼鏡における太陽光の経路を示す拡大図である。
【考案を実施するための形態】
【００１６】
以下、本考案を適用した双眼鏡を実施するための形態について、図面を参照しながら詳細に説明する。
【００１７】
本実施形態に係る双眼鏡２０は、図１に示すように、観察者の肉眼９０によって、双眼鏡２０を介して太陽１０を拡大観察するために用いられる。
【００１８】
双眼鏡２０は、図２に示すように、右側鏡胴２０ａと左側鏡胴２０ｂとを備えている。右側鏡胴２０ａと左側鏡胴２０ｂとは、右側支持部材２７ａと左側支持部材２７ｂとの間に軸部材２８を介装することにより、光軸方向Ｓとの平行を保ったまま所定の範囲で回転可能となるように連結される。右側ストラップ取付枠２９ａは、右側鏡胴２０ａの右側方に設けられ、左側ストラップ取付枠２９ｂは、左側鏡胴２０ｂの左側方に設けられる。ストラップ３０は、その両端が右側ストラップ取付枠２９ａ及び左側ストラップ取付枠２９ｂに結び付けられる。接眼保護材３１は、右側鏡胴２０ａ及び左側鏡胴２０ｂにおけるそれぞれの接眼部分に備えられる。
【００１９】
双眼鏡２０は、図２に示す右側鏡胴２０ａ及び左側鏡胴２０ｂの内部において、図３に示すように、それぞれ対物レンズ２１と接眼レンズ２２と遮光フィルタ２３とを備えている。
【００２０】
対物レンズ２１は、図２に示す右側鏡胴２０ａ及び左側鏡胴２０ｂ内部において、図３に示すように、光軸方向前面側Ａで光軸方向Ｓに略垂直となるように、対物レンズ支持部２１ａによって支持される。対物レンズ２１は、本実施形態において、光軸方向前面側Ａが外側に凸状に形成されるとともに、光軸方向背面側Ｂが平坦に形成される。本発明の対物レンズ２１は、これに限られず、光軸方向背面側Ｂが外側に凸状に形成されてもよく、また、凸レンズの曲率は、拡大率に応じて適宜設定される。
【００２１】
接眼レンズ２２は、図２に示す右側鏡胴２０ａ及び左側鏡胴２０ｂ内部において、図３に示すように、光軸方向背面側Ｂで光軸方向Ｓに略垂直となるように、接眼レンズ支持部２２ａによって支持される。接眼レンズ２２は、本実施形態において、光軸方向前面側Ａが凹状に形成されるとともに、光軸方向背面側Ｂが凹状に形成される。本発明の接眼レンズ２２は、これに限られず、光軸方向前面側Ａ及び光軸方向背面側Ｂの何れか一方が凹状に形成され、他方が平坦に形成されてもよく、また、凹レンズの曲率は、拡大率に応じて適宜設定される。
【００２２】
遮光フィルタ２３は、本実施形態において、対物レンズ２１と接眼レンズ２２との間に、所定の間隔をあけて光軸方向Ｓに略垂直となるように配設される。遮光フィルタ２３は、図２に示す右側鏡胴２０ａ及び左側鏡胴２０ｂ内部において、図３に示すように、遮光フィルタ支持部２３ａによって支持され、対物レンズ２１との間に前面空間２４、接眼レンズ２２との間に背面空間２６が形成される。本発明の遮光フィルタ２３が配設される位置は、対物レンズ２１と接眼レンズ２２との間に限られず、対物レンズ２１の光軸方向前面側Ａに配設されてもよく、また、接眼レンズ２２の光軸方向背面側Ｂに配設されてもよい。
【００２３】
遮光フィルタ２３は、遮光性能を有するガラスを材質とするものであり、本実施形態において、その遮光性能は、波長が３６５ｎｍの紫外線に対する透過率が最大で０．００００７６％となるものである。本発明の遮光フィルタ２３は、これに限られず、遮光性能を有するプラスチック等をその材質としてもよく、また、その遮光性能は、観察する対象に応じて適宜設定される。
【００２４】
図４は、本発明において、太陽光の経路を示す拡大図である。
【００２５】
太陽光は、第１光線ａとして示されるように、平行光として対物レンズ２１に入射する。第１光線ａは、対物レンズ２１の凸レンズに入射することにより、直進あるいは集光するように屈折し、遮光フィルタ２３に向けて、第２光線ｂに示されるように出射される。第２光線ｂは、遮光フィルタ２３を通過することにより、紫外線、可視線及び赤外線が減光され、第３光線ｃとして示されるように、接眼レンズ２２まで導かれる。第３光線ｃは、凹レンズである接眼レンズ２２に入射することにより、直進あるいは発散するように屈折し、第４光線ｄとして示されるように出射され、観察者の肉眼９０まで導かれる。
【００２６】
太陽光は、観察者の肉眼９０に到達するまでに、対物レンズ２１と接眼レンズ２２とによって屈折される。このため、観察者は、正立像として拡大された太陽１０を観察することが可能となる。また、太陽光は、観察者の肉眼９０に到達するまでに、遮光フィルタ２３を通過する。これにより、有害な紫外線が減光されるため、観察者は、網膜に火傷を負うことを免れることが可能となり、安全性が向上する。なお、遮光フィルタ２３は、有害な紫外線の減光が可能であれば、対物レンズ２１の光軸方向前面側Ａ、接眼レンズ２２の光軸方向背面側Ｂに配設することもできる。
【００２７】
本発明は、対物レンズ２１が凸レンズであるとともに接眼レンズ２２が凹レンズであるため、対物レンズ２１と接眼レンズ２２との間に配設される遮光フィルタ２３において、太陽光の著しい集光を回避することができる。このため、本発明は、太陽光の著しい集光による遮光フィルタ２３の温度上昇を回避することができ、遮光フィルタ２３の融解を免れることが可能となる。
【００２８】
以上、本考案の実施形態について詳細に説明したが、前述した実施形態は、何れも本考案を実施するに当たっての具体化の例を示したものに過ぎず、これらによって本考案の技術的範囲が限定的に解釈されてはならないものである。
【符号の説明】
【００２９】
１０    太陽
２０    双眼鏡
２０ａ  右側鏡胴
２０ｂ  左側鏡胴
２１    対物レンズ
２１ａ  対物レンズ支持部
２２    接眼レンズ
２２ａ  接眼レンズ支持部
２３    遮光フィルタ
２３ａ  遮光フィルタ支持部
２４    前面空間
２６    背面空間
２７ａ  右側支持部材
２７ｂ  左側支持部材
２８    軸部材
２９ａ  右側ストラップ取付枠
２９ｂ  左側ストラップ取付枠
３０    ストラップ
３１    接眼保護材
９０    肉眼
Ａ      光軸方向前面側
Ｂ      光軸方向背面側
Ｓ      光軸方向
ａ      第１光線
ｂ      第２光線
ｃ      第３光線
ｄ      第４光線
【図１】
0003173294.tif 000003
【図２】
0003173294.tif 000004
【図３】
0003173294.tif 000005
【図４】
0003173294.tif 000006